(57)【特許請求の範囲】
【請求項１】
ヒートポンプ式冷凍サイクルを用いて水を沸き上げるヒートポンプ式加熱装置（１０）と、
前記ヒートポンプ式加熱装置（１０）によって沸き上げられた熱量を給湯使用側端末への出湯に利用するために貯蔵する貯湯タンク（１１）と、
湯張りの自動運転を実行したいときに操作される運転操作手段（３０，４０）と、
前記運転操作手段（３０，４０）が操作されることにより前記湯張り自動運転実行の命令信号が送られると、過去の使用実績から学習した学習情報を用いて前記湯張り出湯運転が可能か否かを判定し、前記ヒートポンプ式加熱装置（１０）の運転を制御する制御装置（５０）と、を備え、
前記制御装置（５０）は、前記湯張りを行うために必要となる湯張り必要熱量を算出するとともに、前記学習情報を用いて、湯張りを行っている間に前記ヒートポンプ式加熱装置が沸き上げることができる沸き上げ可能熱量を算出し、
さらに前記貯湯タンク（１１）に貯まっている貯湯熱量に前記算出した沸き上げ可能熱量を加えた予測貯湯熱量と、前記算出した湯張り必要熱量とを比較することにより、前記湯張り出湯運転の可否を判定することを特徴とする給湯装置。
【請求項２】
前記制御装置（５０）は、前記予測貯湯熱量が前記湯張り必要熱量以上である場合には、前記湯張り出湯運転が可能であると判定して、前記ヒートポンプ式加熱装置による沸き上げ運転を開始するとともに前記湯張り出湯運転を開始し、
前記予測貯湯熱量が前記湯張り必要熱量より少ない場合には、前記ヒートポンプ式加熱装置による沸き上げ運転を開始するとともに前記湯張り出湯運転を待機状態とし、
前記貯湯タンクの貯湯熱量に前記ヒートポンプ式加熱装置の沸き上げ運転によって貯まった熱量を加えた貯湯熱量が、前記湯張り必要熱量以上になると前記湯張り出湯運転を開始することを特徴とする請求項１に記載の給湯装置。
【請求項３】
前記制御装置（５０）は、前記予測貯湯熱量が前記湯張り必要熱量より少ない場合には、前記ヒートポンプ式加熱装置による沸き上げ運転を開始するとともに前記湯張り出湯運転を待機状態とし、
前記ヒートポンプ式加熱装置の沸き上げ運転によって貯まった熱量を用いて入浴可能な所定湯量が湯張りできるようになると、前記湯張り出湯運転を開始することを特徴とする請求項１または２に記載の給湯装置。
【請求項４】
前記制御装置（５０）は、外気温度に応じて前記ヒートポンプ式加熱装置の加熱能力を最大能力から低減させて、前記沸き上げ運転の沸き上げ温度を可変させることを特徴とする請求項１から３のいずれか一項に記載の給湯装置。
【請求項５】
前記制御装置（５０）は、前記学習情報を用いて、ある加熱能力で前記ヒートポンプ式加熱装置が運転しているとしたときの沸き上げ相当時間を算出し、前記沸き上げ相当時間を用いて前記沸き上げ可能熱量を算出し、
前記ヒートポンプ式加熱装置が起動後、加熱能力が安定するまでの立ち上がり運転時間は、半分の時間に換算して前記沸き上げ相当時間に含ませていることを特徴とする請求項１から４のいずれか一項に記載の給湯装置。
【請求項６】
前記制御装置（５０）は、前記湯張り出湯運転が行われている間の前記ヒートポンプ式加熱装置による沸き上げ温度を、その加熱能力が最大能力となる沸き上げ温度に設定することを特徴とする請求項１から５のいずれか一項に記載の給湯装置。
【請求項７】
前記制御装置（５０）は、浴槽（４３）に残り湯がない状態から前記湯張り出湯運転が開始された場合に、計時された湯張り時間を前記学習情報として更新することを特徴とする請求項１から６のいずれか一項に記載の給湯装置。
【発明の詳細な説明】
【技術分野】
【０００１】
本発明は、風呂に湯張りを行う自動運転が設定されたとき、貯湯タンク内に貯められた湯を活用して湯張り出湯運転を行う給湯装置に関する。
【背景技術】
【０００２】
従来から良く知られている給湯装置は、風呂自動スイッチ等が操作されることにより湯張り自動運転が命令されたときには、予め加熱手段によって沸き上げられてタンクに貯蔵された湯を使用して湯張りを実施するものである。この湯張り自動運転では、タンクの貯湯熱量がこれから行う湯張りに必要な熱量よりも多い場合には湯張りが実行されるが、逆に少ない場合にはリモコン等に残湯が少ないことを警告表示するとともに加熱手段による沸き上げを実施した後、再度湯張り自動運転に復帰するために風呂自動スイッチの操作が必要であった。このようなことから、スムーズな湯張り自動運転が行われず、使い勝手の良くない給湯装置であった。
【０００３】
また、上記のようにタンクの残湯が少ない場合でも、再度風呂自動スイッチの操作が必要なく、自動で湯張り自動運転に復帰させ、使い勝手を向上させた給湯装置として、例えば、特許文献１に記載の装置が提案されている。この装置は、リモコンによって湯張り自動運転が指令されると、貯湯槽の残湯量が所定の第１の設定残湯量より少ないときに出湯された場合には第１の設定残湯量より多い所定の第２の設定残湯量まで加熱手段によって貯湯するまで出湯運転を待機状態とし、リモコンの表示部に待機状態であることを表示する。そして、貯湯量が第２の設定残湯量より多いと判断すると湯張り出湯運転を自動で再開する。
【特許文献１】特開２００６−１７０５５５号公報
【発明の開示】
【発明が解決しようとする課題】
【０００４】
しかしながら、特許文献１に記載の給湯装置では、加熱手段によって第２の設定残湯量まで貯湯されるまでは出湯運転を待機するため、第２の設定残湯量を多く設定すると湯張り中の湯切れを防げるが出湯運転に移行するのに時間がかかり、結局湯張りが完了するまで時間を要することになる。逆に第２の設定残湯量を少なく設定すると出湯運転への移行は早くなるが、湯張り実行中に貯湯量が足りなくなることがある。いずれにしてもユーザーにとってスムーズな湯張り自動運転を提供できず、不具合を感じるという問題がある。また、第２の設定残湯量を多く設定するためにはタンクの容量がある程度必要になり、タンクの大型化につながってしまう。
【０００５】
本発明は、上記問題点に鑑みてなされたものであり、ユーザーにとって不具合の少ない湯張り自動運転を行える給湯装置を提供することを目的とする。
【課題を解決するための手段】
【０００６】
上記目的を達成するために以下の技術的手段を採用する。すなわち、給湯装置に係る第１の発明は、ヒートポンプ式冷凍サイクルを用いて水を沸き上げるヒートポンプ式加熱装置（１０）と、ヒートポンプ式加熱装置（１０）によって沸き上げられた水を給湯使用側端末への出湯に利用するために貯蔵する貯湯タンク（１１）と、湯張りの自動運転を行いたいときに操作される運転操作手段（３０，４０）と、運転操作手段（３０，４０））が操作されることにより上記湯張り自動運転実行の命令信号が送られると、過去の使用実績から学習した学習情報を用いて湯張り出湯運転が可能か否かを判定し、ヒートポンプ式加熱装置（１０）の運転を制御する制御装置（５０）と、を備え、
制御装置（５０）は、上記湯張りを行うために必要となる湯張り必要熱量を算出するとともに、上記学習情報を用いて、湯張りを行っている間にヒートポンプ式加熱装置が沸き上げることができる沸き上げ可能熱量を算出し、さらに貯湯タンク（１１）に貯まっている貯湯熱量に前述の沸き上げ可能熱量を加えた予測貯湯熱量と、前述の湯張り必要熱量とを比較することにより、湯張り出湯運転の可否を判定することを特徴とする。
【０００７】
この発明は、学習情報を用いて算出した湯張り中の沸き上げ可能熱量を貯湯タンクの貯湯熱量に加えた予測貯湯熱量を活用することにより、湯張り出湯運転の可否を判定する。これによれば、貯湯タンクの貯湯熱量だけを出湯運転可否判定のパラメータとするのではないため、湯張り出湯運転の可否判定が高い精度で行われるとともに、湯張り出湯を開始できる条件が拡大し、ユーザーにとって湯張りの待ち時間が短い不具合の少ない湯張り自動運転を提供できる。また、湯張り実行前に大量の湯が使用された場合等の想定外の事態があっても、自動でその後の湯張り運転がスムーズに行われ、ユーザーにとって使い勝手の良い給湯装置を提供できる。
【０００８】
また、制御装置（５０）は、上記予測貯湯熱量が湯張り必要熱量以上である場合には、湯張り出湯運転が可能であると判定して、ヒートポンプ式加熱装置による沸き上げ運転を開始するとともに湯張り出湯運転を開始し、
予測貯湯熱量が湯張り必要熱量より少ない場合には、ヒートポンプ式加熱装置による沸き上げ運転を開始するとともに湯張り出湯運転を待機状態とし、
貯湯タンクの貯湯熱量にヒートポンプ式加熱装置の沸き上げ運転によって貯まった熱量を加えた貯湯熱量が湯張り必要熱量以上になると、湯張り出湯運転を開始することが好ましい。
【０００９】
この発明によれば、高い精度で出湯可否判定を行う湯張り自動運転を実施できる。そして、出湯可能である場合は、現時点での貯湯熱量が湯張り必要熱量に達していなくても、沸き上げ運転後の貯湯熱量を見越して湯張り出湯運転と沸き上げ運転を並行して行うため、湯張りを完了するまでの時間が短縮されることになる。一方、すぐに出湯できない場合であっても貯湯タンクに湯張り必要熱量が実際に貯まる状態を確実に検出できる。これにより、ユーザーにとってスムーズな湯張り自動運転を提供できる。
【００１０】
また、制御装置（５０）は、上記予測貯湯熱量が湯張り必要熱量より少ない場合には、ヒートポンプ式加熱装置による沸き上げ運転を開始するとともに湯張り出湯運転を待機状態とし、ヒートポンプ式加熱装置の沸き上げ運転によって貯まった熱量を用いて入浴可能な所定湯量が湯張りできるようになると、湯張り出湯運転を開始することが好ましい。
【００１１】
湯張り自動運転の命令があったときに、貯湯タンクに貯まっている熱量が少なく、湯張りがすぐに実行できない場合にはヒートポンプ式加熱装置によって大きな熱量を沸き上げるため、出湯運転の待機状態が長くなる。しかしながら、この発明によれば、入浴可能な所定湯量が湯張り可能な状態になると湯張りを開始することにより、湯張り実行命令がなされてから入浴者が入浴できるまでの時間を短縮でき、入浴者にとって使い勝手の良い湯張り自動運転を提供できる。
【００１２】
また、制御装置（５０）は、外気温度または給水温度に応じてヒートポンプ式加熱装置の加熱能力を最大能力から低減させて、沸き上げ運転時の沸き上げ温度を可変させることが好ましい。この発明によれば、最大能力の沸き上げ運転よりもヒートポンプ式加熱装置効率の向上が図れる。
【００１３】
また、制御装置（５０）は、上記学習情報を用いて、ある加熱能力でヒートポンプ式加熱装置が運転しているとしたときの沸き上げ相当時間を算出し、この沸き上げ相当時間を用いて沸き上げ可能熱量を算出し、
ヒートポンプ式加熱装置が起動後、加熱能力が安定するまでの立ち上がり運転時間は、半分の時間に換算して沸き上げ相当時間に含ませることが好ましい。
【００１４】
この発明によれば、高精度の沸き上げ相当時間が求められるので、沸き上げ可能熱量の精度が上がり、一層正確な出湯可否判定を行える。
【００１５】
また、制御装置（５０）は、上記湯張り出湯運転が行われている間のヒートポンプ式加熱装置による沸き上げ温度を、その加熱能力が最大能力となる沸き上げ温度に設定することが好ましい。この発明によれば、沸き上げ時間を短縮できるため、使い勝手の良い湯張り自動運転を提供できる。
【００１６】
また、制御装置（５０）は、浴槽（４３）に残り湯がない状態から湯張り出湯運転が開始された場合に、計時された湯張り時間を学習情報として更新することが好ましい。この発明によれば、ユーザーによって設定された湯量を１００％湯張りしたときの湯張り時間を学習情報として記憶することができ、より正確な湯張り時間に基づいた沸き上げ可能熱量の算出を実施できる。
【００１７】
なお、上記各手段の括弧内の符号は、後述する実施形態に記載の具体的手段との対応関係を示している。
【発明を実施するための最良の形態】
【００１８】
（第１実施形態）
本発明の一実施形態である第１実施形態に係る給湯装置の概略構成を図１〜図３を用いて説明する。図１は本実施形態の給湯装置の構成を示した模式図である。図２は、給湯装置における制御の構成を示すブロック図である。図１に示すように、給湯装置は、ヒートポンプ式加熱装置であるヒートポンプユニット１０と、ヒートポンプユニット１０によって加熱された水を貯える貯湯タンク１１、配管、各種弁等を含むタンクユニットと、を備えている。給湯装置の制御部は、風呂リモコン３０または台所リモコン４０から送信される命令信号を受信して給湯装置全体のシステムを制御するシステム制御装置５０と、システム制御装置５０との通信によってヒートポンプユニット１０の沸き上げ運転を制御するヒートポンプ制御装置８と、から構成されている。タンクユニットとヒートポンプユニット１０は、設置現場において一体化または離間して設置可能なように構成されている。
【００１９】
ヒートポンプユニット１０は、少なくとも圧縮機１、加熱用熱交換器である水・冷媒熱交換器２、減圧装置３、蒸発器４、および気液分離器７の冷凍サイクル機能部品が配管で環状に接続されることにより形成されている。さらに、蒸発器４の近傍には、蒸発器に対して強制風を提供する送風機５が設けられ、蒸発器４による強制風の温度（外気温度）を検出する温度センサ６が設けられている。ヒートポンプユニット１０は、本実施形態では冷媒として臨界温度の低い二酸化炭素を使用することにより、高圧側の冷媒圧力が冷媒の臨界圧以上になる超臨界ヒートポンプサイクルを構成する。
【００２０】
ヒートポンプサイクルを超臨界ヒートポンプサイクルで構成した場合、一般的なヒートポンプサイクルよりも高温、例えば、８５℃〜９０℃程度の湯を貯湯タンク１１内に蓄えることができる。ヒートポンプユニット１０はヒートポンプ制御装置８からの制御信号により作動するとともに、その作動状態をヒートポンプ制御装置８に出力するように構成されている。ヒートポンプユニット１０は、料金設定の安価な深夜時間帯の深夜電力を利用して貯湯タンク１１内の湯を沸き上げる沸き上げ運転、および深夜時間帯以外の時間帯に後述する制御仕様に基づいた沸き上げ運転を行う。
【００２１】
ヒートポンプ制御装置８は、風呂リモコン３０または台所リモコン４０で命令された給湯運転情報をシステム制御装置５０を介して受信し、温度センサ６、水温サーミスタ３１、水温サーミスタ３２等からの温度情報に基づいてヒートポンプユニット１０が沸き上げる湯の温度（以下、湯の温度を湯温と称する）が目標とする値となるようにヒートポンプユニット１０に含まれる可変式の減圧装置３の開度や圧縮機１の吐出容量等を制御する。
【００２２】
風呂リモコン３０および台所リモコン４０は、ユーザーが給湯装置を使用するときに操作する操作パネルであり、各操作スイッチと、給湯装置の動作状態や設定状態を表示する表示部３０ａ，４０ａとを備えている。風呂リモコン３０は入浴者が浴室内で使用するために浴室の壁面に設置されており、台所リモコン４０は浴室から離れたキッチン等の湯を使用する場所の壁面に設置される遠隔操作パネルである。
【００２３】
システム制御装置５０は、風呂リモコン３０、水温サーミスタ３１，３２、給水温サーミスタ３３、中温水サーミスタ３４、給湯温サーミスタ３５、タンク水温サーミスタ３６ａ〜３６ｅ、風呂循環温度サーミスタ３７、追焚温度サーミスタ３８、水位センサ２８、流水スイッチ４２、および流量カウンタ２６，４６等からの各種信号を受信する。そして後述する手順にしたがって循環ポンプ１３、中温水混合弁２１、給湯混合弁２２、風呂用混合弁２４、風呂用電磁弁２５、三方弁４１、および風呂用循環ポンプ２７等の制御と、ヒートポンプ制御装置８を介したヒートポンプユニット１０の制御と、を実施できるようになっている。
【００２４】
貯湯タンク１１は耐食性に優れた金属製、例えばステンレス製の容器であり、外周部に図示しない断熱材が配置されており、給湯用の湯を長時間に渡って保温することができるようになっている。貯湯タンク１１はその容量が２００Ｌ以下である小型のものが好ましく、本実施形態では１８５Ｌのタンクを採用している。貯湯タンク１１は縦長形状であり、その底面には導入口が設けられ、この導入口には貯湯タンク１１内に水道水を導入する給水経路である導入管１７が接続されている。導入管１７は水道水を導入するための給水管１６から分岐した配管である。導入口の上流側には、給水温サーミスタ３３および流量カウンタ（図示せず）が設けられ、この温度信号および流量信号はシステム制御装置５０に出力される。また、導入口の上流側には、導入管１７を流れてくる水道水の水圧を所定圧に減圧する減圧弁（図示せず）が設けられている。
【００２５】
貯湯タンク１１の外壁面には、複数のタンク水温サーミスタが設けられ、タンク上部から下部に向けて順に、タンク水温サーミスタ３６ａ，３６ｂ，３６ｃ，３６ｄ，３６ｅが並んで配置されている。タンク水温サーミスタ３６ａ〜３６ｅは、タンク内最上部から貯まる水量が上部から順に２０Ｌ，５０Ｌ，９０Ｌ，１３０Ｌ，１６５Ｌとなるように配置されており、貯湯タンク１１内上部に満たされた水の各水位レベルでの温度情報をシステム制御装置５０に出力するように構成されている。このタンク水温サーミスタ３６ａ〜３６ｅから送信される温度情報に基づいて、貯湯タンク１１内上方の沸き上げられた温水とタンク内下方の沸き上げられる前の水との温度境界位置を検出することができる。例えば、あるタンク水温サーミスタの検出温度が貯湯熱量として使用できる所定温度（例えば５０℃）を超えていた場合は、タンク内最上部からそのタンク水温サーミスタの位置までは給湯に使用できる湯が貯まっていることになる。
【００２６】
貯湯タンク１１の下面には、タンク内の水を吸い出すための流出口が設けられ、貯湯タンク１１の上面にはヒートポンプユニット１０によって沸き上げた高温の湯をタンク内に流入させる流入口が設けられている。流出口と流入口は戻り配管や往き配管で構成される循環回路１２によって連通されている。ヒートポンプユニット１０内に配置された加熱手段は水・冷媒熱交換器２である。水・冷媒熱交換器２の水通路２ｂは循環回路１２の一部を構成している。
【００２７】
循環回路１２は、ヒートポンプユニット１０の上流側でヒートポンプユニット１０と貯湯タンク１１との間に強制循環手段である循環ポンプ１３を備えている。循環ポンプ１３は、ヒートポンプユニット１０が沸き上げる湯温が目標とする値となるようにシステム制御装置５０によって回転数が制御される。循環回路１２の水・冷媒熱交換器２よりも上流側には、水・冷媒熱交換器２に流入する水の温度を検出する水温サーミスタ３１が設けられ、循環回路１２の水・冷媒熱交換器２よりも下流側には、水・冷媒熱交換器２を通過した水の温度を検出する水温サーミスタ３２が設けられている。
【００２８】
水・冷媒熱交換器２は、流出口から吸入した水通路２ｂを流れる貯湯タンク１１内の水を、冷媒通路２ａを流れる高温冷媒との熱交換によって加熱した後、流入口から貯湯タンク１１内に戻すことにより、貯湯タンク１１内に上部から下部に向けて高温湯の層を形成することができる。
【００２９】
貯湯タンク１１の上部には上部導出口が設けられ、貯湯タンク１１の中間部には貯湯タンク１１内の中温の湯を吐出するための中間部導出口が設けられている。この両導出口は貯湯タンク１１内の湯を導出するための給湯経路である給湯配管１４に連通している。給湯配管１４は、手洗い栓、シャワー、浴槽等の給湯使用側端末と上部導出口とを接続する配管である。中間部導出口は、中温水配管１５によって給湯配管１４に接続されている。中温水配管１５と給湯配管１４との合流部には、上部導出口から導出される湯と、中間部導出口から導出される湯との混合量比を制御する中温水混合弁２１が設けられている。
【００３０】
給湯配管１４には、中温水配管１５との合流部よりも下流側の分岐部２３に風呂用配管１８が接続されている。分岐部２３よりもさらに下流には給湯混合弁２２が設けられている。給湯混合弁２２は給湯使用側端末に送る温水の温度を例えば設定温度等の適温状態にするために、給湯配管１４を流れる温水の量と給水配管１６から分岐した配管を介して供給される水の量との比率を制御して温水と水を混合させるものである。中温水混合弁２１の出口側の配管には中温水の温度を検出する中温水サーミスタ３４が設けられ、給湯混合弁２２の出口側の配管には給湯水の温度を検出する給湯温サーミスタ３５および流量を検出する流量カウンタ４６が設けられている。中温水混合弁２１、給湯混合弁２２は、各サーミスタ３４，３５および流量カウンタ４６により検出された情報を用いてシステム制御装置５０によってその開度がフィードバック制御される。
【００３１】
特に中温水混合弁２１の弁開度は、中温水配管１５が貯湯タンク１１に接続される部位近傍にあるタンク水温サーミスタ３６ｂ（タンク内最上部から５０Ｌの水が貯まる位置にある）の検出温度によって制御される。例えば、出湯の設定温度が４０℃の場合、中温水混合弁２１はタンク水温サーミスタ３６ｂの検出温度が４５℃以下になるまでは中温水配管１５側の通路から湯を取り入れるように制御される。
【００３２】
風呂用配管１８は、その上流端が分岐部２３に接続され、その下流端が浴槽流出配管４５と浴槽流入配管４４とからなる循環回路との接続部２９に繋がれ、浴槽４３内に湯張り、差し湯、たし湯などを行うときに、所定温度に温度調節された給湯用水を導く配管である。風呂用配管１８の流路の中途には、温度調節手段である風呂用混合弁２４、風呂用電磁弁２５、流量カウンタ２６、および逆止弁（図示せず）が設けられ、接続部２９に湯張りする湯の温度を検出できる風呂循環温度サーミスタ３７が設けられている。
【００３３】
風呂用混合弁２４は、給水配管１６を流通する水と給湯配管１４から分流してきた湯との混合量を制御することにより風呂に出湯する給湯用水の湯温を調節する温度調節弁である。風呂用混合弁２４は、それぞれの流路の開口面積比、つまり、当該湯側の開度と当該水側の開度の比率を調節することによって、出湯する湯温を設定温度に調節する。風呂用混合弁２４は、システム制御装置５０に電気的に接続されており、給水温サーミスタ３３、風呂循環温度サーミスタ３７より検出される温度情報に基づいてその開度がフィードバック制御される。
【００３４】
風呂用電磁弁２５は、風呂用配管１８の流路を開閉する弁であり、浴槽４３内に浴水を湯張り、差し湯、たし湯などを行うときにシステム制御装置５０によって制御される。また、流量カウンタ２６が風呂用配管１８内の水の流れを検出したときは、風呂用電磁弁２５が開弁されて浴槽４３内に出湯している状態である。
【００３５】
浴槽流入配管４４とともに循環回路を構成する浴槽流出配管４５には、上流側、つまり浴槽４３に近い側から順に、追焚温度サーミスタ３８、三方弁４１が設けられている。浴槽流出配管４５と浴槽流入配管４４との連結部は、追焚用循環回路１９との連結部でもあり、三方弁４１によって流路の切替えがなされる。浴槽流入配管４４には、三方弁４１から浴槽４３に向かって順に、流水スイッチ４２、風呂循環温度サーミスタ３７、風呂用循環ポンプ２７、水位センサ２８が設けられている。
【００３６】
水位センサ２８は、浴槽４３内に湯張りされた浴水の湯量、言い換えれば浴槽４３内の水位レベルを求めるための水圧を検出するセンサである。三方弁４１は浴槽流入配管４４と浴槽流出配管４５とを接続するように流路をつなげるか、浴槽流入配管４４と追焚用循環回路１９とを接続するように流路をつなげるかを切替えることができる流路切替弁である。追焚温度サーミスタ３８は、追い焚き運転時等に浴槽流出配管４５を流通する浴水の湯温を検出する水温センサである。
【００３７】
流水スイッチ４２は風呂用循環ポンプ２７が駆動することにより循環回路内を循環する浴水を検知する流水センサであり、システム制御装置５０がスイッチのＯＮ時間によって浴槽４３内の浴水の有無を判断するために用いられる。風呂用循環ポンプ２７は浴槽４３内の浴水を循環回路内で強制的に循環させる電動ポンプである。風呂循環温度サーミスタ３７は、湯張り運転時に浴槽流入配管４４を流通する浴水の湯温を検出する水温センサであり、浴槽内に戻される浴水の温度を検出する。湯張り後に浴槽４３内の浴水の温度を検出するときは、風呂用電磁弁２５を閉じるとともに、風呂用循環ポンプ２７を作動させる。そして、浴槽４３内の浴水は浴槽流出配管４５、浴槽流入配管４４、浴槽４３内の順に循環されながら風呂循環温度サーミスタ３７によって浴水の湯温が検出されることになる。
【００３８】
浴槽４３に湯張りを行うときは、システム制御装置５０は、風呂用電磁弁２５を開き、風呂用混合弁２４によって所定温度に調節された湯を接続部２９から浴槽流入配管４４に流入させ、設定湯量になるまで浴槽４３内に取り込む。追い焚き運転を行うときは、システム制御装置５０は、風呂用電磁弁２５を閉じ、浴槽流入配管４４と追焚用循環回路１９とを接続するように三方弁４１を制御するとともに、風呂用循環ポンプ２７を作動させる。そして、浴槽４３内の浴水は、風呂用循環ポンプ２７の吸引力によって浴槽流出配管４５に流出し、接続部２９から追焚用循環回路１９に流入し、貯湯タンク１１内に向けて流れ、貯湯タンク１１内上部に設けられた熱交換部２０でタンク内の高温水と熱交換される。熱交換部２０で熱交換して加熱された浴水は、追焚用循環回路１９を浴槽４３に向かって流れ、三方弁４１によって接続された浴槽流入配管４４に流入し、浴槽４３内に戻る。追焚運転中は、浴水がこのように追焚用循環回路１９を循環しながら熱交換部２０で加熱され、追焚温度サーミスタ３８により検出された温度が設定温度になるまで暖められる。
【００３９】
次に、上記構成の給湯装置における湯張り自動運転の作動および制御について説明する。システム制御装置５０は、入力回路、マイクロコンピュータ、出力回路等を有しており、温水として使用される使用熱量の実績（例えば、ヒートポンプユニット１０の運転実績、給湯や湯張りに相当する給湯実績等）を、毎日継続して記憶手段に記憶する。記憶手段は、例えば、フラッシュメモリやＲＡＭで構成され、記憶されているデータの読み出しや書き込みを行うものである。そして、システム制御装置５０の記憶手段は、ヒートポンプユニット１０の運転実績を含む過去の使用熱量の実績を所定期間分記憶しておくことができ、当該所定期間からはみ出た古い実績は新しい実績に随時書き換えられる。本実施形態では、所定期間の一例として過去１週間分の使用熱量の実績を記憶するようにしている。そして、１週間分の使用熱量の実績は、直近の１日の実績が記憶されるタイミングになると、最も古い１日の実績が記憶手段から消去され、直近の１日の実績が書き込まれることになる。
【００４０】
本実施形態のシステム制御装置５０は、湯切れおよび無駄な運転を排除した効率的な沸き上げ運転を実施するために、過去の所定期間の一例である過去１週間のヒートポンプユニット１０の運転実績（以下、過去１週間の運転実績とする）から学習した学習情報を用いる。この学習情報を活用することにより、リモコンによって設定された湯張りの設定条件（湯量、湯温等）を満たすように湯張りを完了するために必要となる湯張り必要熱量を算出することができ、湯張りを行っている間にヒートポンプユニット１０によって沸き上げ運転を行う場合に、当該沸き上げ運転によって沸き上げることができる沸き上げ可能熱量を算出することができる。また、湯張りに要する時間や、ヒートポンプユニット１０の加熱能力に対するこの湯張り時間と関係等も算出可能である。そして、システム制御装置５０は、湯張り自動運転が設定されると上記学習情報を用いて、後述の湯張り出湯運転が可能か否かの判定を行う。また、学習情報として記憶、更新される湯張り時間の実績は、浴槽４３に残り湯がない状態から開始される湯張り出湯運転時に計時された時間とする。
【００４１】
図３は給湯装置の湯張り自動運転における制御手順を示すフローチャートである。ユーザー（使用者）が風呂に湯を張りたいときにリモコンの風呂自動スイッチを操作すると、システム制御装置５０に湯張り自動運転の命令信号が送信されて、図３のフローチャートがスタートする。システム制御装置５０は、まずステップ１で、風呂用循環ポンプ２７内に予めポンプ起動に必要な所定量の呼び水を注入する処理を実行した後、風呂用循環ポンプ２７を起動させる（ステップ２）。次に、流水スイッチ４２がＯＮしている信号を受信したか否かによって、浴槽４３内に残り湯があるか否かを判定する（ステップ３）。
【００４２】
ステップ３で、流水スイッチ４２がＯＮしている時間が認識されて浴槽４３内に残り湯があると判定した場合には、次に風呂の残り湯で湯張りが可能か否かを判定する（ステップ３０）。ステップ３０の判定は、現在の貯湯タンク１１内の貯湯熱量Ｑｔが湯張りを完了するために必要な熱量Ｑｂ１（以下、湯張り必要熱量Ｑｂ１とする）以上であるか否かを判定することによって行われる。貯湯タンク１１内の貯湯熱量は、タンク水温サーミスタ３６ａ〜３６ｅの検出温度を用いてタンク内上部に貯まっている湯張りに使用できる熱量を求めることにより算出される。湯張り必要熱量Ｑｂ１は、湯張り運転で設定された温度（以下、湯張り設定温度とする）から給水温度を差し引いた値に浴槽４３に加える必要のある予測水量Ｇ１（以下、残り湯加算予測水量Ｇ１とする）を乗じて算出される。残り湯加算予測水量Ｇ１は、湯張り自動運転で設定された設定湯量を満たすために、浴槽４３に加える必要のある水量を算出した値であり、現在の残り湯が多い場合は少なく算出され、逆に多い場合は補充する水量が前者より必要なため多く算出される。
【００４３】
ステップ３０で、貯湯タンク１１内の貯湯熱量Ｑｔが湯張り必要熱量Ｑｂ１以上であると判定された場合には、次に貯湯タンク１１内の貯湯熱量Ｑｔが保有させておきたい所定熱量以上であるか否かを判定する（ステップ３１）。この所定熱量は、貯湯タンク１１に常備しておきたい最低限の熱量であり、シャワー、手洗い栓への想定外の急な給湯に対応するためや次の湯張り自動運転に向けて熱量を確保するために設定される熱量である。
【００４４】
ステップ３１で貯湯熱量Ｑｔが所定熱量以上であると判定すると、システム制御装置５０は、ヒートポンプユニット１０の運転停止の処理をし（ステップ３２）、後述するステップ１０以降を実行する。逆に、ステップ３１で貯湯熱量Ｑｔが所定熱量未満であると判定すると、システム制御装置５０は、貯湯熱量Ｑｔが少ない状態であるとみなし、補充するためヒートポンプユニット１０を起動処理し（ステップ３３）、後述するステップ１０以降を実行していく。
【００４５】
一方、ステップ３０で貯湯熱量Ｑｔが湯張り必要熱量Ｑｂ１未満であると判定された場合には、貯湯熱量Ｑｔが足りない状態であるため即時に浴槽４３への湯張り出湯運転を開始できないため、湯張り自動運転（風呂自動）待機処理をし、風呂リモコン３０の表示部３０ａおよび台所リモコン４０の表示部４０ａに待機状態であることを表示する（ステップ３４）。そして、ヒートポンプユニット１０を起動して沸き上げ運転を開始し（ステップ３５）、貯湯タンク１１に熱量を貯める運転を進行させ、次に湯張り可能な状態になったか否かを判定する（ステップ３６）。
【００４６】
ステップ３６において、システム制御装置５０は、ヒートポンプユニット１０の運転によって補充された沸き上げ熱量Ｑｈｐ１を求め、現在の貯湯熱量Ｑｔに沸き上げ熱量Ｑｈｐ１を加えた値が前述のステップ３０で算出した湯張り必要熱量Ｑｂ１以上であるか否かを判定する。ステップ３６で貯湯熱量Ｑｔに沸き上げ熱量Ｑｈｐ１を加えた値が湯張り必要熱量Ｑｂ１以上になったと判定されると、システム制御装置５０は、待機状態を自動で解除して、湯張り自動運転に復帰したことを表示部３０ａおよび表示部４０ａに表示し（ステップ３７）、後述するステップ１０以降を実行していく。
【００４７】
一方、ステップ３で流水スイッチ４２がＯＮしている時間が認識されず浴槽４３内に残り湯はないと判定した場合には、次に湯張り出湯運転が可能であるか否かを判定する（ステップ４）。ステップ４においてシステム制御装置５０は、上記学習情報を必要に応じて用い、現在の貯湯タンク１１内の貯湯熱量Ｑｔ、湯張りを完了するために必要な熱量Ｑｂ０（以下、湯張り必要熱量Ｑｂ０とする）、および湯張りを行った場合にその湯張り中にヒートポンプユニット１０が沸き上げることができる沸き上げ可能熱量Ｑｈｐ０をそれぞれ算出する。ステップ４の湯張り出湯運転の可否は、貯湯熱量Ｑｔに沸き上げ可能熱量Ｑｈｐ０を加えて算出される予測貯湯熱量が湯張り必要熱量Ｑｂ０以上であるか否かによって判定される。
【００４８】
貯湯タンク１１内の貯湯熱量Ｑｔは、前述のステップ３０と同様の方法で算出される。湯張り必要熱量Ｑｂ０は、湯張りの設定温度から給水温度を差し引いた値に浴槽４３に加えるべき予測水量Ｇ０（以下、湯張り予測水量Ｇ０とする）を乗じて算出される。湯張り予測水量Ｇ０は、設定水位レベル（例えば、レベル１、レベル２、レベル３等）を満たすために必要な水量を基準水量に加えて算出される。設定水位レベルはユーザーがリモコンで設定した水位レベルのことである。水位レベルが１レベル増える毎に増やすべき所定の単位水量は、学習情報から機器毎に個別に求められる。当該設定水位レベルを満たすために必要な水量は、設定水位レベルが基準水位から増加している分のレベル増加数と当該所定の単位水量とを掛け算することによって算出される。基準水位は所定の最低限の水量であり、リモコンの表示部でレベルゼロと表示される水量である。基準水位として、例えば、湯張り設定湯量の約２／３の水量、入浴者が入浴することが可能である最低限の水量、大人が半身浴できる程度の水量等を採用してもよい。これにより、設定湯量よりも少ないが入浴可能な湯張りを一旦行い、入浴者の入浴要求を満たした上で、再度不足分を湯張りして湯張り運転を完了することもできる。
【００４９】
沸き上げ可能熱量Ｑｈｐ０は、湯張りと並行して進行する沸き上げ運転によって沸き上げることができる熱量であり、上記学習情報を用いて算出される。沸き上げ可能熱量Ｑｈｐ０は、それぞれ算出された、ヒートポンプユニット１０の加熱能力、機器固有の単位能力当たりの放熱量、および沸き上げ相当時間を掛け合わせることによって求めることができる。
【００５０】
加熱能力は、例えば温度センサ６の検出温度である外気温度に対応して決定される能力であり、外気温度と加熱能力の対応関係はシステム制御装置５０のＲＯＭ等に予め制御マップ（特性図）として記憶されている。ヒートポンプユニット１０は、上記学習情報から得られる１日に必要な熱量に対して最も効率のよい沸き上げ温度になるように加熱能力が設定される。しかしながら、冬期等で、外気温度が低温である第１の所定温度より低い場合や給水温度が低温である第２の所定温度より低い場合には、加熱能力を最大能力の０．５〜５％分低減させる沸き上げ温度に設定することが好ましい。また、外気温度または給水温度に応じてヒートポンプユニット１０の加熱能力を最大能力から低減させて、沸き上げ運転時の沸き上げ温度を可変させるようにしてもよい。これによれば、最大能力による沸き上げ運転よりも効率が向上する。
【００５１】
機器固有の単位能力当たりの放熱量は、学習情報から機器毎に個別に求められる。沸き上げ相当時間は、先の加熱能力および単位能力当たりの放熱量を保持している状態とみなせるヒートポンプユニット１０の作動時間であり、ヒートポンプユニット１０起動後の立ち上がりに要する時間、湯張りに要する時間等を考慮して、記憶された学習情報から求められる。湯張りに要する時間は、例えば、デフォルト値を１５分とし、湯張り量や低い給水圧域に応じて行う湯張り時間の調整は学習情報を活用することにより算出する。当該立ち上がりに要する時間は、ヒートポンプユニット１０起動時の加熱能力不足分を考慮して算出されており、例えば、加熱能力が安定するまでの時間を半分に換算した時間を採用する。
【００５２】
システム制御装置５０は、ステップ４で、貯湯熱量Ｑｔに沸き上げ可能熱量Ｑｈｐ０を加えた予測貯湯熱量が湯張り必要熱量Ｑｂ０よりも小さいと判定すると、湯張り出湯運転は不可であると判定する。そして、貯湯熱量Ｑｔが足りない状態であるため即時に浴槽４３への湯張り出湯運転を開始できないため、湯張り自動運転（風呂自動）の待機処理をし、表示部３０ａおよび表示部４０ａに待機状態であることを表示する（ステップ４０）。そして、ヒートポンプユニット１０を起動して沸き上げ運転を開始し（ステップ４１）、貯湯タンク１１に熱量を貯める運転を進行させる。
【００５３】
次にヒートポンプユニット１０によって沸き上げられた熱量が基準水位を満たす湯を張れる状態になったか否かを判定する（ステップ４２）。ステップ４２においてシステム制御装置５０は、上記学習情報を用いて、基準水位の湯を張るために必要な湯張り必要熱量Ｑｂ２を算出し、ヒートポンプユニット１０の運転によって補充された沸き上げ熱量Ｑｈｐ１を求める。そして、現在の貯湯熱量Ｑｔに沸き上げ熱量Ｑｈｐ１を加えた値が基準水位の湯を張るために必要な湯張り必要熱量Ｑｂ２以上であるか否かを判定する。ステップ４２で貯湯熱量Ｑｔに沸き上げ熱量Ｑｈｐ１を加えた値が湯張り必要熱量Ｑｂ２以上になったと判定されると、システム制御装置５０は、入浴可能な所定湯量を湯張りできる状態になったと判断し、待機状態を自動で解除して湯張り自動運転に復帰したことを表示部３０ａおよび表示部４０ａに表示する（ステップ４３）。そして、後述するステップ６以降を実行していく。
【００５４】
一方、システム制御装置５０は、ステップ４で、貯湯熱量Ｑｔに沸き上げ可能熱量Ｑｈｐ０を加えて算出する予測貯湯熱量が湯張り必要熱量Ｑｂ０以上であると判定すると、湯張り出湯運転を実行可能であるとみなし、ヒートポンプユニット１０を起動して沸き上げ運転を開始するとともに（ステップ５）、湯張り出湯運転を行うため、風呂用電磁弁２５をＯＮして開状態に保持する（ステップ６）。さらに設定温度の湯が供給されるように風呂用混合弁２４を制御して浴槽４３への湯張りを開始する。ステップ５以降、および前述のステップ３３以降の湯張り中に実行されるヒートポンプユニット１０の沸き上げ運転においては、その沸き上げ温度をヒートポンプユニット１０の加熱能力が最大能力となる沸き上げ温度に設定することより、沸き上げ時間を短縮することができる。
【００５５】
湯張りを開始すると、システム制御装置５０は浴槽４３内にたまった湯量が基準水位以上であるか否かを判定する（ステップ７）。基準水位以上の湯量がたまったと判定されると、風呂用電磁弁２５をＯＦＦして閉状態にし、浴槽４３への湯の供給を一旦停止する（ステップ８）。そして、システム制御装置５０は、ユーザーに対して入力可能な状態であることを明示するため、レベルゼロの湯量が貯まり、表示部３０ａおよび表示部４０ａに入浴可能であることおよび自動足し湯の待機状態であることを表示する（ステップ９）。
【００５６】
次に、システム制御装置５０は浴槽４３内の浴水の湯温および水位を検出する処理を実行する（ステップ１０）。このとき、システム制御装置５０は浴槽流出配管４５と浴槽流入配管４４とがつながるように三方弁４１を制御するとともに、風呂用循環ポンプ２７を作動させる。システム制御装置５０は水位センサ２８および風呂循環温度サーミスタ３７から送信される信号によって浴水の湯温および水位を検出することができる。
【００５７】
次に、システム制御装置５０は、再度、風呂用電磁弁２５をＯＮして開状態にし、引き続き設定水位まで足し湯する湯張り自動運転を開始する（ステップ１１）。そして、上記ステップ１０と同様の三方弁４１の制御、風呂用循環ポンプ２７の作動、および水位センサ２８の信号検出の各処理を実行することにより、湯張りの開始によって増加した浴槽４３内の湯量が設定水位（ユーザーによって湯張り自動運転において設定された水位）に達したか否かを判定する（ステップ１２）。設定水位以上の湯量がたまったと判定されると、風呂用電磁弁２５をＯＦＦして閉状態にし、湯張り出湯を停止する（ステップ１３）。
【００５８】
次に、上記ステップ９と同様の三方弁４１の制御、風呂用循環ポンプ２７の作動、および風呂循環温度サーミスタ３７の信号検出の各処理を実行することにより、浴水が設定温度に達したか否かを判定する（ステップ１４）。ステップ１４で浴水が設定温度に達していないと判定されると、前述の追い焚き運転を実行し（ステップ１５）、追焚温度サーミスタ３８による検出温度が設定温度に達するまで追い焚き運転を継続する。このときの追い焚き運転で使用する熱量は、ヒートポンプユニット１０を沸き増し運転することによって確保する。
【００５９】
そして、ステップ１４で浴水が設定温度に達したと判定されると、貯湯タンク１１内の現在の貯湯熱量Ｑｔが保有させておきたい所定熱量以上であるか否かを判定する（ステップ１６）。この所定熱量は、前述のステップ３１における所定熱量と同様の熱量である。ステップ１６で現在の貯湯熱量Ｑｔが所定熱量以上であると判定すると、システム制御装置５０は、ヒートポンプユニット１０の運転停止の処理をし（ステップ１７）、湯張り自動運転は終了する。ステップ１７の処理は、現在の貯湯熱量Ｑｔが所定熱量以上であると判定されるまで行われない。
【００６０】
以下に、本実施形態の給湯装置がもたらす作用効果について説明する。給湯装置のシステム制御装置５０は、過去の使用実績に基づく学習情報を用いて、湯張りを完了するために必要となる湯張り必要熱量を算出するとともに、湯張りを行っている間にヒートポンプユニット１０が沸き上げることができる沸き上げ可能熱量を算出し、さらに貯湯タンク１１に貯まっている貯湯熱量に当該算出した沸き上げ可能熱量を加えた予測貯湯熱量と、算出した湯張り必要熱量とを比較することにより、湯張り出湯運転の可否を判定する。
【００６１】
これによれば、貯湯タンク１１の貯湯熱量だけを湯張り出湯運転の可否判定のパラメータとするのではないため、当該可否判定が高い精度で行われ、湯張り自動運転を進行させるために必要な貯湯熱量が従来ほど多く必要でなく、湯張りが早くなりユーザーにとって湯張りの待ち時間が短くなる。また、湯張り出湯を開始できる条件が拡大し、ユーザーにとって使い勝手がよくなる。したがって、ユーザーにとって不具合の少ない湯張り自動運転を実施できる。また、湯張り自動運転の命令前に大量の湯張りが行われたり、長時間のシャワー等の給湯使用が行われたりした場合等の想定外の事態があっても、湯張り自動運転が禁止されてしまうことなく、引き続き自動でその後の運転がスムーズに行われ、ユーザーにとって使い勝手の良い給湯装置が得られる。また、湯張り自動運転命令があると、湯張り中の沸き上げ可能熱量を算出して湯張り運転の可否判定を行うとともに、湯張りと沸き上げ運転を同時並行する運転が行われるので、貯湯タンク１１の容量を小さくしても湯張り待機時間を抑えることができ、装置の小型化およびユーザーの利便性の両方を満たすことができる。
【００６２】
また、システム制御装置５０は、予測貯湯熱量が湯張り必要熱量以上である場合には、湯張り出湯運転が可能であると判定して、ヒートポンプユニット１０による沸き上げ運転を開始するとともに湯張り出湯運転を開始する。一方、予測貯湯熱量が湯張り必要熱量より少ない場合には、ヒートポンプユニット１０による沸き上げ運転を開始するとともに湯張り出湯運転を待機状態とし、貯湯タンク１１の貯湯熱量にヒートポンプユニット１０の沸き上げ運転によって貯まった熱量を加えた貯湯熱量が湯張り必要熱量以上になると、湯張り出湯運転を開始する。
【００６３】
この制御によれば、高い精度で出湯可否判定を行うことができる。そして、出湯可能と判定した場合は、現時点での貯湯熱量が湯張り必要熱量に達していなくても、沸き上げ運転後の貯湯熱量を見越して湯張り出湯運転と沸き上げ運転を並行して行うため、湯張りを完了するまでの時間を短縮できる。一方、すぐに出湯できない場合であっても貯湯タンクに湯張り必要熱量が実際に貯まる状態を確実に検出できる。したがって、ユーザーにとって使い勝手がとよく、スムーズで不具合の少ない湯張り自動運転を提供できる。
【００６４】
また、システム制御装置５０は、予測貯湯熱量が湯張り必要熱量より少ない場合には、ヒートポンプユニット１０による沸き上げ運転を開始するとともに湯張り出湯運転を待機状態とし、ヒートポンプユニット１０の沸き上げ運転によって貯まった熱量を用いて基準水位（入浴可能な所定湯量）が湯張りできるようになると、湯張り出湯運転を開始する。そして、基準水位までの湯張りが完了すると、入浴可能であることを表示または報知し、その後引き続き、設定水位に達するまで浴槽４３内に足し湯を行う。
【００６５】
湯張り自動運転の命令があったときに、貯湯タンク１１に貯まっている熱量が少なく、湯張りがすぐに実行できない場合にはヒートポンプユニット１０によって大きな熱量を沸き上げるため、出湯運転の待機状態が長くなる。しかしながら、この制御によれば、入浴可能な所定湯量が湯張り可能な状態になると湯張りを開始することにより、湯張り実行命令がなされてから入浴者が入浴できるまでの時間を短縮でき、早く入浴したい入浴者に要求に応えることができる。
【００６６】
また、システム制御装置５０は、学習情報を用いて、ある加熱能力でヒートポンプ式加熱装置が運転しているとしたときの沸き上げ相当時間を算出し、この沸き上げ相当時間を用いて沸き上げ可能熱量を算出し、ヒートポンプユニット１０が起動後、加熱能力が安定するまでの立ち上がり運転時間を半分の時間に換算して沸き上げ相当時間に含ませて演算している。これによれば、高精度の沸き上げ相当時間が求められるため、沸き上げ可能熱量の精度が向上し、正確な出湯可否判定に寄与する。
【００６７】
また、システム制御装置５０は、浴槽４３に残り湯がない状態から湯張り出湯運転が開始された場合に、計時された湯張り時間を学習情報として更新する。これにより、設定湯量を１００％湯張りしたときの湯張り時間が学習情報として記憶され、正確な湯張り時間に対応した沸き上げ可能熱量の算出を実施でき、精度の高い湯張り出湯運転の可否判定が行える。
【００６８】
（その他の実施形態）
以上、本発明の好ましい実施形態について説明したが、本発明は上述した実施形態に何ら制限されることなく、本発明の主旨を逸脱しない範囲において種々変形して実施することが可能である。
【００６９】
例えば、上記実施形態では、温水として使用される使用熱量の実績（例えば、ヒートポンプユニット１０の稼動実績、湯張り相当する給湯実績等）は、システム制御装置５０の記憶手段に記憶されるとしているが、当該記憶手段を有するヒートポンプ制御装置８に記憶されるように構成してもよい。
【００７０】
また、上記湯張り自動運転の制御において湯張り出湯を行うときには、すでに貯湯タンク１１に貯まっている熱量を使用して浴槽４３に湯張りするとともに、ヒートポンプユニット１０による沸き上げ運転を行って熱量を補充している。このとき、沸き上げ運転によって得られる熱量を、一旦貯湯タンク１１に貯めてから湯張りとして浴槽４３に供給してもよいし、貯湯タンク１１に供給せずに直接、浴槽４３に出湯するようにしてもよい。
【００７１】
また、上記実施形態において、制御装置に記憶される１週間の運転実績は、装置の工場出荷時においてあらかじめ記憶させていた所定の運転情報（モデル運転情報）を更新することにより、ユーザーの使用実態に適合させていくものであってもよい。
【００７２】
また、ヒートポンプユニット１０のヒートポンプサイクルを流れる作動冷媒は、二酸化炭素に限定されるものではなく、フロン等の他の冷媒であってもよい。
【図面の簡単な説明】
【００７３】
【図１】第１実施形態に係る給湯装置の構成を示す模式図である。
【図２】第１実施形態の給湯装置の湯張り自動運転における制御の構成を示すブロック図である。
【図３】第１実施形態の給湯装置において、風呂湯張り自動運転が設定されたときの制御手順を示すフローチャートである。
【符号の説明】
【００７４】
８…ヒートポンプ制御装置（制御装置）
１０…ヒートポンプユニット（ヒートポンプ式加熱装置）
１１…貯湯タンク
３０…風呂リモコン（運転操作手段）
４０…台所リモコン（運転操作手段）
４３…浴槽
５０…システム制御装置（制御装置）
【図１】
0005082926.tif 000002
【図２】
0005082926.tif 000003
【図３】
0005082926.tif 000004